(57)【要約】      （修正有）【課題】壁面に貼り付けられる吸音材・断熱材が様々な厚みに設定された場合であっても対応可能な配管支持具用台座を提供する。【解決手段】吸音材・断熱材が貼り付けられた壁面に、配管・配線を配設支持する配管支持具を取付ける配管支持具用台座１において、台座が、壁面に固定される固定板２１と、固定板から立設する支持板２２と、を有する壁面固定部２と、配管支持具が固定されるフランジ板３１と、支持板に対して高さ調節可能に取り付けられるスライド板３２と、を有する配管支持具固定部３と、を有し、支持板又はスライド板の一方に、複数個の係止孔２４が形成され、支持板又はスライド板の他方には、係止孔に入り込むことにより係止される係止爪３３が設けられ、支持板に対してスライド板をスライドさせ、複数個の係止孔に対する係止爪の係止位置を選択して係止させることにより、吸音材・断熱材の表面と略同等高さに配管支持具を取付ける。【選択図】図１
2020034117.tif 000002
【特許請求の範囲】
【請求項１】
クッション性を有する吸音材・断熱材が貼り付けられた壁面に、配管・配線を配設支持する配管支持具を前記吸音材・断熱材の厚みを考慮した状態で取付けるための配管支持具用台座において、
配管支持具用台座が、
ボルトやネジの如き固定手段により壁面に固定される固定板と、該固定板から立設する支持板と、を有する壁面固定部と、
配管支持具が載置状態で固定されるフランジ板と、該フランジ板を前記吸音材・断熱材の表面と略同等高さとなるように前記支持板に対して高さ調節可能に当接して位置固定されるスライド板と、を有する配管支持具固定部と、
を有し、
前記支持板が２枚から成り、この２枚の支持板が平行状態で前記固定板から立設する構成であり、
前記スライド板が２枚から成り、この２枚のスライド板が前記２枚の支持板の各々の内側に当接乃至は近接状態で重層して挟着される構成、又は、この2枚のスライド板が前記2枚の支持板の各々の外側に当接乃至は近接状態で重層して挟着する構成、のいずれかであり、
前記支持板又は前記スライド板のいずれか一方には、前記吸音材・断熱材の厚み方向である縦方向に間隔を空けて複数個の係止孔が形成されており、
前記支持板又は前記スライド板のいずれか他方には、前記複数個の係止孔の任意の箇所に入り込むことにより係止される係止爪が設けられており、
前記支持板に対して前記スライド板を、前記吸音材・断熱材の厚みに応じて厚み方向にスライドさせ、複数個の係止孔に対する係止爪の係止位置を選択して係止させることにより、前記吸音材・断熱材の表面と略同等高さに配管支持具を取付けることを可能とする構成であること、
を特徴とする配管支持具用台座。
【請求項２】
前記係止爪が、スライドする厚み方向である縦方向に２つ以上設けられており、この２つ以上の係止爪の各々が前記係止孔に入り込むことにより係止される構成であることを特徴とする請求項１に記載の配管支持具用台座。
【請求項３】
前記係止爪が、前記支持板又は前記スライド板の一部を切起して形成された構成であることを特徴とする請求項１又は２に記載の配管支持具用台座。
【請求項４】
前記係止爪が、前記支持板又は前記スライド板の一部を突出状態に突起加工して形成された構成であることを特徴とする請求項１又は２に記載の配管支持具用台座。
【請求項５】
前記係止爪が、前記支持板又は前記スライド板にネジ頭やナットの如き凸状の他部材を取付固定して形成された構成であることを特徴とする請求項１又は２に記載の配管支持具用台座。
【発明の詳細な説明】
【技術分野】
【０００１】
本発明は配管支持具用台座に関し、詳しくはクッション性を有する吸音材・断熱材が貼り付けられた壁面に、配管・配線を配設支持する配管支持具を前記吸音材・断熱材の厚みを考慮した状態で取付けるための配管支持具用台座に関する。
【背景技術】
【０００２】
吸音材・断熱材が貼り付けられた壁面に、配管・配線を配設支持する配管支持具を取付けるための台座としては、例えば、特許文献１に記載の技術等が知られている。
【０００３】
特許文献１に記載の技術によれば、壁面に貼られた吸音材・断熱材に形成した挿入穴に台座を挿入し、この台座の固定板を壁面にボルトやネジの如き固定手段により固定し、前記吸音材・断熱材の表面と略同等高さに位置するフランジ板に配管支持具を載置した状態で取付固定することができる。
【先行技術文献】
【特許文献】
【０００４】
【特許文献１】意匠登録第１５６９８８０号公報
【発明の概要】
【発明が解決しようとする課題】
【０００５】
しかし特許文献１に記載の技術では、施工場所の設計条件に応じて吸音材・断熱材の厚みが様々な厚みに設定された場合、この吸音材・断熱材の様々な厚み毎に適した複数種類の高さの台座を用意しなければならないという問題点を有している。
【０００６】
そこで本発明の課題は、壁面に貼り付けられる吸音材・断熱材が様々な厚みに設定された場合であっても対応可能な配管支持具用台座を提供することにある。
【課題を解決するための手段】
【０００７】
上記課題を解決する本発明は下記構成を有する。
【０００８】
１．クッション性を有する吸音材・断熱材が貼り付けられた壁面に、配管・配線を配設支持する配管支持具を前記吸音材・断熱材の厚みを考慮した状態で取付けるための配管支持具用台座において、
配管支持具用台座が、
ボルトやネジの如き固定手段により壁面に固定される固定板と、該固定板から立設する支持板と、を有する壁面固定部と、
配管支持具が載置状態で固定されるフランジ板と、該フランジ板を前記吸音材・断熱材の表面と略同等高さとなるように前記支持板に対して高さ調節可能に当接して位置固定されるスライド板と、を有する配管支持具固定部と、
を有し、
前記支持板が２枚から成り、この２枚の支持板が平行状態で前記固定板から立設する構成であり、
前記スライド板が２枚から成り、この２枚のスライド板が前記２枚の支持板の各々の内側に当接乃至は近接状態で重層して挟着される構成、又は、この2枚のスライド板が前記2枚の支持板の各々の外側に当接乃至は近接状態で重層して挟着する構成、のいずれかであり、
前記支持板又は前記スライド板のいずれか一方には、前記吸音材・断熱材の厚み方向である縦方向に間隔を空けて複数個の係止孔が形成されており、
前記支持板又は前記スライド板のいずれか他方には、前記複数個の係止孔の任意の箇所に入り込むことにより係止される係止爪が設けられており、
前記支持板に対して前記スライド板を、前記吸音材・断熱材の厚みに応じて厚み方向にスライドさせ、複数個の係止孔に対する係止爪の係止位置を選択して係止させることにより、前記吸音材・断熱材の表面と略同等高さに配管支持具を取付けることを可能とする構成であること、
を特徴とする配管支持具用台座。
【０００９】
２．前記係止爪が、スライドする厚み方向である縦方向に２つ以上設けられており、この２つ以上の係止爪の各々が前記係止孔に入り込むことにより係止される構成であることを特徴とする上記１に記載の配管支持具用台座。
【００１０】
３．前記係止爪が、前記支持板又は前記スライド板の一部を切起して形成された構成であることを特徴とする上記１又は２に記載の配管支持具用台座。
【００１１】
４．前記係止爪が、前記支持板又は前記スライド板の一部を突出状態に突起加工して形成された構成であることを特徴とする上記１又は２に記載の配管支持具用台座。
【００１２】
５．前記係止爪が、前記支持板又は前記スライド板にネジ頭やナットの如き凸状の他部材を取付固定して形成された構成であることを特徴とする上記１又は２に記載の配管支持具用台座。
【発明の効果】
【００１３】
請求項１に示す発明によれば、壁面に貼り付けられる吸音材・断熱材が様々な厚みに設定された場合であっても対応可能な配管支持具用台座を提供することができる。
【００１４】
特に、壁面固定部に対して配管支持具固定部が高さ調節可能な構成を有するので、吸音材・断熱材の厚みに応じて高さを適宜設定することにより配管支持具を取付固定するフランジ板を前記吸音材・断熱材の表面と略同等高さとすることができる。
また、壁面固定部の２枚の支持板に対して、配管支持具固定部の２枚のスライド板が高さ調節可能に重層する構成を有するので、壁面固定部に対して配管支持具を安定した状態で取り付けられる。従って、配管支持具固定部のフランジ板に載置固定される配管支持具を安定した状態で取り付けることができるので、壁面に沿って配管・配線を安定した状態で支持固定することができる。
更に、本発明の係止孔に係止爪を係止させる構成によって耐振（耐震）性の向上、及びぐらつきの抑制効果が期待できる。
【００１５】
請求項２に示す発明によれば、厚み方向である縦方向に２つ以上設けられた係止爪の各々が係止孔に係止される構成を有するので、１つの係止の場合に生じ易い係止箇所を基点とするぐらつきを更に抑制することができる。従って、より安定した状態での支持固定が可能である。
【００１６】
請求項３に示す発明によれば、係止爪が別部材を用いることなく部材の一部を切起し形成された構成を有するので、低コストで容易に加工可能である。
【００１７】
請求項４に示す発明によれば、係止爪が別部材を用いることなく部材の一部を突起加工して形成された構成を有するので、低コストで容易に加工可能である。
【００１８】
請求項５に示す発明によれば、係止爪となる凸状の他部材としてネジ頭やナット等の入手や加工が容易な一般的な部材から成るので、低コストで容易に加工可能である。
【図面の簡単な説明】
【００１９】
【図１】本発明に係る配管支持具用台座の一実施例を示す４面図（正面図、平面図、底面図、左側面図。背面図は正面図と、右側面図は左側面図と、夫々対称のため省略。）
【図２】図１に示す配管支持具用台座の壁面固定部の５面図（正面図、平面図、底面図、左側面図、Ａ−Ａ線断面図。背面図は正面図と、右側面図は左側面図と、夫々対称のため省略。）
【図３】図１に示す配管支持具用台座の配管支持具固定部の５面図（正面図、平面図、底面図、左側面図、Ｂ−Ｂ線断面図。背面図は正面図と、右側面図は左側面図と、夫々対称のため省略。）
【図４】図１に示す配管支持具用台座の使用状態の一例を示す概略説明図
【図５】係止爪の他の例を示すＣ−Ｃ線断面図（Ａ）と左側面図（Ｂ）
【図６】係止爪の更に他の例を示す正面図（Ａ）と左側面図（Ｂ）
【図７】係止孔の他の例を示す左側面図
【図８】係止孔の更に他の例を示す左側面図
【発明を実施するための形態】
【００２０】
次に、添付の図面に従って本発明を詳細に説明する。
【００２１】
本発明に係る配管支持具用台座（以下、単に台座ということもある。）は、クッション性を有する吸音材・断熱材が貼り付けられた壁面に、配管・配線を配設支持する配管支持具を前記吸音材・断熱材の厚みを考慮した状態で取付けるためのものである。
【００２２】
本発明の配管支持具用台座１の具体的構成としては、図１〜図４に示す実施例によれば、
クッション性を有する吸音材・断熱材５が貼り付けられた壁面４に、配管・配線Ｐを配設支持する配管支持具６を前記吸音材・断熱材５の厚みを考慮した状態で取付けるための構成において、
台座１が、
ボルトやネジの如き固定手段７により壁面４に固定される固定板２１と、該固定板２１から立設する支持板２２と、を有する壁面固定部２と、
配管支持具６が載置状態で固定されるフランジ板３１と、該フランジ板３１を前記吸音材・断熱材５の表面と略同等高さとなるように前記支持板２２に対して高さ調節可能に当接して位置固定されるスライド板３２と、を有する配管支持具固定部３と、
を有し、
前記支持板２２が２枚から成り、この２枚の支持板２２・２２が平行状態で前記固定板２１から立設する構成であり、
前記スライド板３２が２枚から成り、この２枚のスライド板３２・３２が前記２枚の支持板２２・２２の各々の内側に当接乃至は近接状態で重層して挟着される構成であり、
前記支持板２２・２２には、前記吸音材・断熱材５の厚み方向である縦方向に間隔を空けて複数個（本実施例では６個）の係止孔２４・２４が形成されており、
前記スライド板３２・３２には、前記複数個の係止孔２４の任意の箇所に入り込むことにより係止される係止爪３３・３３が設けられており、
前記支持板２２・２２に対して前記スライド板３２・３２を、前記吸音材・断熱材５の厚みに応じて厚み方向にスライドさせ、複数個の係止孔２４・２４に対する係止爪３３・３３の係止位置を選択して係止させることにより、前記吸音材・断熱材５の表面と略同等高さに配管支持具６を取付けることを可能とする構成であること、
を主構成とするものである。
尚、図１〜図４において、符号２５は固定板２１に穿かれて固定手段７が挿通される壁面固定用孔であり、符号３４はフランジ板３１に穿かれて配管支持具６を取付固定するためのボルト８が挿通螺合する配管支持具固定用孔であり、符号３５は壁面４に台座１を固定手段７によって固定する際に該固定手段７を緊締操作するためのドライバーの如き緊締具を挿通するためのドライバー挿通孔である。
【００２３】
以下、本発明の構成について更に詳説する。
【００２４】
前記壁面固定部２は、図２に示すように支持板２２が２枚から成り、この２枚の支持板２２・２２が平行状態で固定板２１から立設する構成であるが、図２に示すようなＵ字形（倒したコ字形）を有する形状であれば、平板を折曲加工によって容易に加工することができるので好ましい。
【００２５】
前記配管支持具固定部３は、図３に示すようにスライド板３２が２枚から成り、この２枚のスライド板３２・３２がフランジ板３１から各々垂設されており、更に２枚のスライド板３２・３２が前記２枚の支持板２２・２２の各々の内側に当接状態乃至は近接状態（本実施例ではスライド可能に当接した状態）で重層する構成を有している。
【００２６】
また、配管支持具固定部３のスライド板３２に設けられた係止爪３３は、図３に示すようにスライド板３２の一部を切起して形成されている。図３に示す符号３６は係止爪３３を切起し形成することによってスライド板３２に穿かれる切起し孔である。
【００２７】
上記構成を有する本発明の台座１は、ステンレス、亜鉛メッキ仕上げを施した鋳鉄鋼等の金属や、ポリプロピレン樹脂、ＡＢＳ樹脂等の合成樹脂等、この種の配管支持具として用いられる公知公用の材料から特別の制限なく形成されるものであり、重層状態で挟着する支持板２２・２２とスライド板３２・３２とが撓み性を有して重層される構成となっている。
【００２８】
また、上記構成を有する本発明の台座１を用いる場合、図４に示すように、壁面４に貼られた吸音材・断熱材５に、該台座１が挿入可能な挿入穴を形成し、この挿入孔内に台座１を挿入し、固定板２１を壁面４にボルトやネジの如き固定手段７により固定する。
この挿入、固定の際、或いは挿入前に、前記吸音材・断熱材５の表面とフランジ板３１の位置が略同等高さとなるように、支持板２２に対してスライド板３２をスライドして高さ調節を行う。フランジ板３１の高さ位置が吸音材・断熱材５の表面と略同等高さとなる位置までスライドしたら、スライド板３２のスライドに伴って移動する係止爪３３を所望の位置の係止孔２４内へ移動させて入り込むことによりフランジ板３１の高さ位置を固定することができる。尚、係止爪３３が係止孔２２に入り込むまでは、該係止爪３３は係止孔２２の形成されていない部分の支持板２２の表面を摺動して移動することになるが、この際、係止爪３３の高さ（厚み）分だけ、支持板２２・２２はスライド板３２・３２に対して撓んで押し広げられることになるか、スライド板３２・３２は支持板２２・２２に対して撓んで押し狭められることになるか、或いは、その押し広げと押し狭めの両方になることによって、所望の位置の係止孔２４への係止爪３３の移動が可能となる。
固定板２１の壁面４への固定と、並びにフランジ板３１の高さ位置を吸音材・断熱材の表面と略同等高さでの固定とが済んだ後、フランジ板３１に配管支持具６を載置し、ボルト８等によって取付固定する。
台座１に取付固定した配管支持具６に配管・配線Ｐを抱持支持させることによって、クッション性を有する吸音材・断熱材５が貼り付けられた壁面４に、配管・配線Ｐを配設支持することができる。
尚、係止孔２４に対して係止爪３３を強固に係止させる構成とした場合には、壁面固定部２と配管支持具固定部３とが強固に連結された状態となるので、壁面４に対して配管Ｐを支持した配管支持具６を確実且つ強固に支持固定することができる。
尚また、係止孔２４に対して係止爪３３を緩い状態でガタつきを許容させた状態で係止させる構成とした場合には、この緩い係止構成が配管Ｐの振動・震動（ウォーターハンマー現象、地震等の揺れ等）を吸収する緩衝機能を発揮することになる。特に、壁面４に取付けた際には本発明の台座１の周囲は吸音材・断熱材５に囲繞された状態となるので、配管Ｐが振動・震動した際には前記した緩い係止構成による緩衝機能に吸音材・断熱材５が有するクッション性が加わって二重の衝撃吸収機能を発揮するという相乗効果が生じることになる。
【００２９】
以上、本発明に係る配管支持具用台座の実施例について説明したが、本発明は上記構成に限定されず、本発明の範囲内において種々の態様を採ることができる。
【００３０】
例えば、上記実施例において、係止孔２４が壁面固定部２の支持板２２に形成されると共に、係止爪３３が配管支持具固定部３のスライド板３２に形成された構成であったが、本発明はかかる構成に限定されず、配管支持具固定部３のスライド板３２に係止孔が形成されると共に、壁面固定部２の支持板２２に係止爪が形成される構成とすることもできる。
【００３１】
また、上記実施例では、２枚のスライド板３２・３２が２枚の支持板２２・２２の各々の内側に当接状態乃至は近接状態で重層する構成であったが、本発明はかかる構成に限定されず、２枚のスライド板３２・３２が２枚の支持板２２・２２の各々の外側に重層する構成とすることもできる。
【００３２】
更に、係止爪３３は、上記実施例においては切起し形成による構成であったが、本発明はかかる構成に限定されず、支持板２２又は前記スライド板３２の一部を突出状態に突起加工して形成した構成（図５参照）や、支持板２２又は前記スライド板３２に凸状の他部材を取付固定して形成した構成（図６参照）とすることもできる。
【００３３】
更に、係止孔２４についても上記実施例の構成に限定されず、係止爪が切起し形成したものに比して厚みを有していたり大きな径を有するものであった場合（例えば、図５や図６に示す係止爪３３の場合等）にも係止孔内に入り込むことによって係止できるように、上記実施例の係止孔２４よりも大きな開口を有する係止孔とすることもできる（図７参照）。
【００３４】
更に、係止孔２４は、図８に示すように、係止孔２４と係止孔２４とを連絡するガイド孔を形成することにより、所望の位置の係止孔２４に係止爪３３が移動する際のガイド機能として作用する構成とすることもできる。かかる構成によれば、所望の位置の係止孔２４に係止爪３３を逸脱することなく確実に導いて係止させることができる。
【００３５】
更にまた、係止爪をスライドする厚み方向である縦方向に２つ以上設け、この２つ以上の係止爪の各々が係止孔に入り込むことにより係止される構成とすることもできる。かかる構成によれば、厚み方向である縦方向に２つ以上設けられた係止爪の各々が係止孔に係止される構成を有するので、１つの係止の場合に生じ易い係止箇所を基点とするぐらつきを防止することができる。従って、より安定した状態での支持固定が可能である。
【符号の説明】
【００３６】
１  配管支持具用台座
２  壁面固定部
２１  固定板
２２  支持板
２３  ガイド孔
２４  係止孔
２５  壁面固定用孔
３  配管支持具固定部
３１  フランジ板
３２  スライド板
３３  係止爪
３４  配管支持具固定用孔
３５  ドライバー挿通孔
３６  切起し孔
４  壁面
５  吸音材・断熱材
６  配管支持具
７  固定手段
８  ボルト
Ｐ  配管・配線
【図１】
2020034117.tif 000003
【図２】
2020034117.tif 000004
【図３】
2020034117.tif 000005
【図４】
2020034117.tif 000006
【図５】
2020034117.tif 000007
【図６】
2020034117.tif 000008
【図７】
2020034117.tif 000009
【図８】
2020034117.tif 000010